(57)【要約】      （修正有）【課題】軽量、小型で、身体への密着使用時の電磁波からの保護に配慮したスマ−トフォン用携帯バッグを提供する。【解決手段】６、６ナイロン織布を基材に使用し、補強効果が強く、撥水性に優れた付加型シリコーンゴムを表面に塗布することで、外部からの水の浸入を防止し衝撃から機器を保護する。また、通信電波を遮断せず、かつ電磁波から身体を保護するフェライト粉等を液状シリコーンゴムに混合、塗布した電磁波シールド層を前記携帯バッグが身体に接する側、すなわち携帯バッグの裏面材にのみ付与する。【選択図】図１
0003184310.tif 000002
【実用新案登録請求の範囲】
【請求項１】
スマ-トフォン１１を収納する基材からなるバッグ１０であって、前記バッグの前面材１と、バッグの左右側面材４と、バッグの底面材５と、バッグの裏面材３が袋状に繋がっており、前記バッグの裏面材３の上部で繋がって上方向に延設して設けられているバッグの上カバー材２からなり、前記バッグの裏面材３にのみ電磁波防止処理を備えたことを特徴とするスマ−トフオン用携帯バッグ。
【請求項２】
前記バッグの基材は６，６ナイロン織布からなる基材であり、該基材にシリコ−ン処理層が設けられた２層構成の基材であることを特徴とする請求項１に記載のスマ−トフオン用携帯バッグ。
【請求項３】
前記バッグの裏面材３に施された電磁波防止処理が前記裏面材３の外側面に設けられた電磁波防止コーテイング層であり、前記裏面材３が前記２層構造の基材に電磁波防止コーテイング層を施した３層構造の基材であることを特徴とする請求項１又は２に記載のスマ−トフォン用携帯バッグ。
【請求項４】
前記バッグの前面材１と左右側面材４と底面材５と上カバー材2の外側面に付加型シリコ−ンゴム層が設けられ、内側面に６，６ナイロン織布が設けられた２層構造であり、前記バッグの裏面材３は外側面に電磁波防止コーテイング層が設けられ、中間層に付加型シリコ−ンゴム層が設けられ,内側面に６，６ナイロン織布が設けられた３層構造であり、前記電磁波防止コーテイング層はフェライト粉、ニッケル粉、銅粉、カーボンパウダーあるいはグラファイト粉等からなる電磁波シールド層であることを特徴とする請求項１〜３のいずれかに記載のスマ−トフォン用携帯バッグ。
【請求項５】
前記バッグの裏面にベルト通し部を備え、バッグの前面及び上カバー内面の相対する位置に蓋の開閉が自在となる面ファスナーを備えたことを特徴とする請求項１〜４のいずれかに記載のスマ−トフォン用携帯バッグ。
【考案の詳細な説明】
【技術分野】
【０００１】
本考案は、ベルトに装着できる部品と身体側に電磁波シ−ル剤を塗布したスマ−トフオン用小型、軽量な布製バッグに関するものである。
【背景技術】
【０００２】
従来のスマ−トフォン用ケ−スは、多様な外観デザイン及び収納性あるいは全面に電磁波シ−ル剤加工した製品があるが、小型、簡便で前面からの電波入力を妨害せず、なお身体への密着使用時の健康への配慮に欠ける構造であった。
【先行技術文献】
【特許文献】
【０００３】
【特許文献１】特開２００３−１２５８３３号公報
【特許文献２】特開２９９４−１１１６２７号公報
【特許文献３】特開平１０−３１３１８８号公報
【考案の概要】
【考案が解決しようとする課題】
【０００４】
上記先行技術では、構造が複雑で、大きな形状及び重量、また身体に対する安全性確保のため電磁波防止機能をスマ−トフォン用ケ−ス、バッグ、袋などの全面に付与させているので、受信機能が不十分とされる事例があった。
本考案では、バッグを小型、軽量に設計し、受信電波を妨害せず、受信機能が十分に発揮され、身体に対する電磁波からの安全性の確保、さらにバックの強度不足を改善し、雨水の浸入を防ぐための撥水性を付与することで、携帯に便利で安全なバッグを提供することを目的とする。
【課題を解決するための手段】
【０００５】
本考案のスマ−トフオン用携帯バッグは、軽量、小型化を達成するため、基材として、６、６ナイロン織布を使用し、補強効果が強く、撥水性に優れた付加型シリコ−ンゴムを塗布することで、外部からの水の浸入を防止し衝撃から機器を保護する目的を達成した。また、通信電波を遮断せず、かつ電磁波から身体を保護する構造を前記携帯バッグが身体に接する側、すなわち携帯バッグの裏面材にのみ付与する構造とした。
【考案の効果】
【０００６】
本考案によれば、電磁波防止用コ−テイング剤を身体接触面のみの１面に塗布し、他の面は受信電波を妨害せず、受信機能を十分維持できる機能を付与した構造とし、またバッグの材料は強度の強い６、６ナイロン織布を使用し、更に付加型シリコ−ンゴムを塗布することで、外部からの水の浸入を防止した小型、軽量でコンパクトで、しかも身体に安全な構造とする。
さらにベルトに固定する構造を付与することで、持ち運び易いバッグを提供できる。
【図面の簡単な説明】
【０００７】
【図１】図１は、本考案のバッグの実施形態を示す斜視図である。
【図２】図２は、本考案のバッグの後ろ側の形態を示す斜視図である。
【図３】図３は、本考案のバッグの上カバ−材を開いた形態を示す斜視図である。
【図４】図４は、本考案のバッグの後ろ側でベルト通し部を介してベルトに装着した時の形態を示す斜視図である。
【図５】図５は、本考案のバッグの前面材、バッグの上カバー材、側面材、底面材の断面組材構成を示す。
【図６】図６は、本考案のバッグの裏面材の断面組材構成を示す。
【図７】図７は、本考案のバッグにスマ−トフオンを挿入した時の形態を示す斜視である。
【考案を実施するための形態】
【０００８】
スマ-トフォン１１を収納する基材からなるバッグ１０であって、バッグの前面材１と、バッグの左右側面材４と、バッグの底面材５と、バッグの裏面材３が袋状に繋がっており、前記バッグの裏面材３の上部で繋がって上方向に延設して設けられているバッグの上カバー材２からなり、バッグの 裏面材３にベルト通し部６、バッグ前面材１の上部外面及びバッグの上カバ−材２ 内面の所定位置に接合用面ファスナー９を備え、バッグの裏面材３に電磁波防止コ−テイング層３aを備えた構造とする。
【０００９】
バッグの基材は強度に優れた、６，６ナイロン織布を使用し、基材の表面に外部からの水の浸入を防止、衝撃から機器を保護する目的で、付加型シリコ−ンゴム層を設けた２層構成とし、さらにバッグの装着者の身体を電磁波から保護する目的で、上記バッグの裏面材の内面材３a  に電磁波防止層を設けた３層構造とする。
【００１０】
前記バッグの裏面材３に電磁波防止の目的で、フェライト粉、ニッケル粉、銅粉、カーボンパウダーあるいはグラファイト粉等からなる電磁波シールド層を構成する。
【００１１】
前記バッグの基材として強度に優れた、６，６ナイロン織布を使用し、電磁波防止用コ−テイング剤は身体接触面のみの１面に塗布し、他の面は受信電波を妨害せず、受信機能を十分維持できる機能を付与した構造とし、更に付加型シリコ−ンゴムを塗布することで、外部からの水の浸入を防止した軽量でコンパクトな構造とした。
【００１２】
前記バッグにベルト通し部を備え、バッグの前面及び上カバー内面の相対する位置に蓋の開閉が自在となる面ファスナーを備えた構造とした。
【００１３】
本考案の実施形態について、図面に従って詳しく記述する。
図１にもとづいて説明する。
本考案の小型バッグ１０の全体を示す。バッグ前面材 １と上カバ−材２,バッグ側面材４及びバッグの底面材５を含む全体像を示す。バッグ前面材１に印刷されたマーク８は、ベルト７に装着時、電磁波から身体を保護するための正しい取付け方向を示す。バックの前面材１に印刷されたマーク８を前記バッグ１０の装着者から見て、外側になるように前記バッグ１０を装着する。
【００１４】
図２にもとづいて説明する。
本考案のベルト通し部６は、バックの前面材１を構成する材料、即ち図５
に記載した材料１ａ及び１ｂを使用し、取り付け位置はバッグの裏面材３の幅方向中央部の上部が好適である。縫製し固定する。しかしながらこれに限られるものではない。
【００１５】
図３にもとづいて説明する。
本考案のバッグ１０の面ファスナ−９は、前面材１の上部中央部９b及び上カバ−材の内面材２ａの相対する位置９ａに、着脱できるファスナ−として取り付けられている。このようにすることで、蓋の開閉が自在となる。
【００１６】
図４にもとづいて説明する。
本考案のバッグ１０にスマ−トフオン１１を挿入し使用する際は、バッグの裏面材３に取り付けたベルト通し部６にベルト７を挿入し、使用する。
【００１７】
図５にもとづいて説明する。
本考案のバッグ１０の前面材１、バッグ１０の上カバー材２、バッグ１０の側面材４及びバッグ１０の底面材５は、受信電波の妨害を妨げないナイロン織布 １ｂ 及びシリコ−ンゴムコ−テイング層１ａの２層構造とする。
【００１８】
図６にもとづいて説明する。
本考案のバッグ１０の裏面材３及びバッグ１０の上カバ−材２は、ナイロン
織布３ｃ 、シリコ−ンゴムコ−テイング層３ｂ及び電磁波防止コ−テイング層３ａを加えた３層構造とする。前記電磁波防止コ−テイング層３ａは,フェライト粉等を液状シリコ−ンゴムに混合、分散させた電磁波防止コ−テイング層３ａである。
【００１９】
図７にもとづいて説明する。
本考案のバッグ１０に、スマ−トフォン１１を挿入した形態を示す斜視図で
ある。
【産業上の利用可能性】
【００２０】
本考案のスマ−トフオン用携帯バッグバッグは、身体接触面にのみ電磁波防止処理がなされ、また基材としてナイロン織布が使用され、更にシリコーンゴムコーテイングが施されているので、強度及び耐水性にも優れ、使用者にとって安全性に優れたものとなり、産業上の利用可能性が大きい。
【符号の説明】
【００２１】
１     バッグの前面材
１ａ   バッグの前面材の構成材料としての シリコ−ンゴムコ−テイング層
１ｂ   バッグの前面材の構成材料としての ナイロン織布
２     バッグの上カバ−材
２ａ   バッグの上カバ−材の内面材
３     バッグの裏面材
３ａ   バッグの裏面材の構成材料としての電磁波防止コ−テイング層
３ｂ   バッグの裏面材の構成材料としてのシリコ−ンゴムコ−テイング層
３ｃ   バッグの裏面材の構成材料としてのナイロン織布
４     バッグの側面材
５     バッグの底面材
６     ベルト通し部
７     ベルト
８     マ−ク
９     面ファスナ−    
９ａ   上カバ−材の面ファスナ−
９ｂ   バッグ前面材の面ファスナ−
１０   バッグ
１１   スマ−トフォン  
【図１】
0003184310.tif 000003
【図２】
0003184310.tif 000004
【図３】
0003184310.tif 000005
【図４】
0003184310.tif 000006
【図５】
0003184310.tif 000007
【図６】
0003184310.tif 000008
【図７】
0003184310.tif 000009